(57)【要約】【課題】綴じ代と綴じ具を有し、かつ机やキャビネット等の引出しに背幅部を下にして収納する使用態様に適したファイルを提供することである。【解決手段】綴じ代５と、この綴じ代５に連なる背幅部４を介して連接された表表紙２と、綴じ代５に連接された裏表紙３とを備え、綴じ代５に綴じ具６が設けられているファイル１に、表表紙２の綴じ代５と反対側の端部２ａより表表紙２と同一平面上に突出した見出し部７を設ける。同様に、裏表紙３の綴じ代５と反対側の端部３ａより裏表紙３と同一平面上に突出した見出し部を設けることもできる。【選択図】図１
0003154361.tif 000002
【実用新案登録請求の範囲】
【請求項１】
綴じ代と、この綴じ代に連なる背幅部を介して連接された表表紙と、前記綴じ代に連接された裏表紙とを備え、前記綴じ代に綴じ具が設けられているファイルにおいて、前記表表紙の前記綴じ代と反対側の端部より前記表表紙と同一平面上に突出した見出し部を設けたことを特徴とするファイル。
【請求項２】
綴じ代と、この綴じ代に連なる背幅部を介して連接された表表紙と、前記綴じ代に連接された裏表紙とを備え、前記綴じ代に綴じ具が設けられているファイルにおいて、前記裏表紙の前記綴じ代と反対側の端部より前記裏表紙と同一平面上に突出した見出し部を設けたことを特徴とするファイル。
【考案の詳細な説明】
【技術分野】
【０００１】
本発明は、綴じ具を有するファイルに係り、さらに詳細には、表紙の端部より突出した見出し部を備えた、綴じ具を有するファイルに関する。
【背景技術】
【０００２】
従来、綴じ具を有する綴じ代を挟む両側に開閉可能な一対の表紙を備えたファイルが広く市販されている（図４及び５参照）。このようなファイル１０では、背幅部１４を利用してファイルの内容を記載することにより「見出し」としての機能を与えて、ファイルの整理を行いやすくしている。従って、通常は別の見出し部が設けられていない。そこで、見出しが見えやすいように、一般的に本棚等に背幅部を手前にして立ててファイルを収納するか、又は机やキャビネット等の引出しに背幅部を上にしてファイルを収納する。このように収納すると、ファイルに綴じ込む書類の量が少ない場合など、ファイルの背幅部のため、どうしても手前又は上側の幅が広く、奥又は下側の幅が狭くなって、図６又は図７に示すように、煩雑になってしまう。場合によっては、ファイル間にファイルが埋もれてしまい（例えば、図６のファイル２０又は図７のファイル３０）、所望のファイルを探し出すのに手間がかかる。
【０００３】
この不都合を回避するため、特許文献１には、図８に示すような、綴じ代４５を形成する領域内に切り込みを設けて背幅部４４の面から外側に向かって突出する見出し片４７を設けたファイル４０が開示されている。このファイル４０では、上記不都合をいくらか解消することができる。しかしながら、このようなファイルは必然的に本棚等に背幅部を手前にして立てて、又は机やキャビネット等の引出しに背幅部を上にして収納され、机やキャビネット等の引出しに背幅部を下にして収納する使用態様には適さない。従って、このようなファイルを机やキャビネット等の引出しに背幅部を下にして使用したいという要望を満たすことはできない。
【０００４】
一方、いわゆる個別ホルダーと称する、綴じ代と綴じ具のないファイル５０も広く市販されている（図９及び１０参照）。このようなファイル５０は、通常、折り曲げ可能な板状片で構成される綴じ具（図示せず）等を綴じ穴５９に装着して利用する。このようなファイル５０には、一般的に表紙５３の端部５３ａより同一平面上に突出した見出し部５７が設けられている。従って、このようなファイル５０は、典型的に、図１１に示すように、机やキャビネット等の引出しＤに見出し部５７の方を上にして収納して使用される。しかし、綴じ代がなく、綴じ具が設けられていないので、綴じ具を別途準備しなければならず、面倒な場合がある。また、綴じ具を装着した場合、綴じ具がファイルの外側に露出するため、美観を損ねると共に、綴じ具が物や手などに触れて不都合なことがある。
【先行技術文献】
【特許文献】
【０００５】
【特許文献１】特開平８−３１０１７５号公報
【考案の概要】
【考案が解決しようとする課題】
【０００６】
本考案は、従来のファイルの上記問題を克服すべく案出されたものであり、本考案の目的は、綴じ代と綴じ具を有し、かつ机やキャビネット等の引出しに背幅部を下にして収納する使用態様に適したファイルを提供することである。
【課題を解決するための手段】
【０００７】
前記目的を達成するため、本考案は、綴じ代と、この綴じ代に連なる背幅部を介して連接された表表紙と、前記綴じ代に連接された裏表紙とを備え、前記綴じ代に綴じ具が設けられているファイルにおいて、前記表表紙の前記綴じ代と反対側の端部より前記表表紙と同一平面上に突出した見出し部を設けたことを特徴とする。
また、本考案は、綴じ代と、この綴じ代に連なる背幅部を介して連接された表表紙と、前記綴じ代に連接された裏表紙とを備え、前記綴じ代に綴じ具が設けられているファイルにおいて、前記裏表紙の前記綴じ代と反対側の端部より前記裏表紙と同一平面上に突出した見出し部を設けたことを特徴とする。
【考案の効果】
【０００８】
このような手段を講じることにより、机やキャビネット等の引出しにファイルの背幅部を下にして収納して使用することができ、綴じ具付きの汎用ファイルをいわゆる個別ホルダーのような態様で使用することができる。
【図面の簡単な説明】
【０００９】
【図１】本考案の一実施形態のファイルの開いた状態を示す斜視図である。
【図２】本考案の一実施形態のファイルの正面図である。
【図３】本考案の一実施形態のファイルの使用態様を示す概略斜視図である。
【図４】従来のファイルの開いた状態を示す斜視図である。
【図５】図４の従来のファイルの閉じた状態を示す斜視図である。
【図６】図４の従来のファイルを本棚に収納した場合の使用態様を示す概略斜視図である。
【図７】図４の従来のファイルをキャビネットの引出しに収納した場合の使用態様を示す概略斜視図である。
【図８】従来のファイルを示し、（ａ）は閉じた状態の斜視図であり、（ｂ）は（ａ）のＡ−Ａ線矢視拡大断面図である。
【図９】従来のファイルの開いた状態を示す斜視図である。
【図１０】図９の従来のファイルの正面図である。
【図１１】図９の従来のファイルの使用態様を示す概略斜視図である。
【考案を実施するための形態】
【００１０】
以下、図面を参照しながら本考案の実施形態について説明する。
図１は、本考案の一実施形態に係るファイル１の開いた状態を示す斜視図である。ファイル１は、相互に略同一形状の表表紙２及び裏表紙３を備える。表表紙２と裏表紙３の間には背幅部４を介して綴じ代５が設けられ、綴じ代５には綴じ具６が装着されている。表表紙２の綴じ代５と反対側の端部２ａには、表表紙２と同一平面上に突出した見出し部７が設けられている。
【００１１】
見出し部７の位置は、図２に示すように、例えば見出し部７ａなどのように適宜変更することができる。また、裏表紙３に見出し部を同様に設けることもできる（図示せず）。
なお、図中の４ａは、ファイルする書類が増えた場合に背幅を広く使うために設けられた折り目であり、従来のファイルにも通常設けられているが、必須なわけではない。
また、綴じ具６は、図１に示したものに限定されず、同様の機能を果たす綴じ具を適宜使用することができる。
【００１２】
このような構成としたので、図３に示すように、ファイル１の見出し部７にＡ−１…Ａ−４等の見出しを記載して、見出し部７を上に（すなわち、背幅部４を下に）して、机やキャビネットの引出しＤに収納して使用することができる。
【符号の説明】
【００１３】
１    ファイル
２    表表紙
３    裏表紙
４    背幅部
５    綴じ代
６    綴じ具
７    見出し部
【図１】
0003154361.tif 000003
【図２】
0003154361.tif 000004
【図３】
0003154361.tif 000005
【図４】
0003154361.tif 000006
【図５】
0003154361.tif 000007
【図６】
0003154361.tif 000008
【図７】
0003154361.tif 000009
【図８】
0003154361.tif 000010
【図９】
0003154361.tif 000011
【図１０】
0003154361.tif 000012
【図１１】
0003154361.tif 000013